(57)【要約】【課題】キャンバスと額縁の厚みが異なっても好適にキャンバスを額縁に固定・保持することができる額縁にキャンバスを固定する固定方法を提供すること。【解決手段】絵画用のキャンバス３を額縁に固定する固定方法であって、先端部に額縁２からキャンバス３側に突出する突出部１ｃ３を有する弾性体（バネ１ｃ）をレバー１ｂの一端部に回動自在に枢支し、前記レバー１ｂをレバー固定台１ａに取り付け、このレバー固定台１ａをさらに額縁２に設けて、前記レバー１ｂの他端部を回転させることにより前記突出部１ｃ３で前記キャンバス３を押圧し、前記レバー１ｂの他端部の突起部１ｂ３を前記額縁２に設けられたストッパ１ｅに係止することにより前記額縁２に前記キャンバス３を固定する方法。【選択図】　　　　　図１
2004057689.tif 000002
【特許請求の範囲】
【請求項１】
絵画用のキャンバスを額縁に固定する固定方法であって、先端部に前記額縁から前記キャンバス側に突出する突出部を有する弾性体をレバーの一端部に固定し、前記弾性体を設けた前記レバーの一端部を回動自在に枢支するレバー固定台に取り付け、このレバー固定台をさらに額縁に設けて、前記レバーの他端部を回転させることにより前記突出部で前記キャンバスを押圧し、前記レバーの他端部の突起部を前記額縁に設けられたストッパに係止することにより前記額縁に前記キャンバスを固定することを特徴とする額縁にキャンバスを固定する固定方法。
【請求項２】
前記レバー固定台と前記額縁の間に更にレバー固定台の止め金具を設けて、前記レバー固定台を前記額縁の水平方向に回動自在に設けた後、前記額縁に設けた前記レバー固定台の止め金具の一端部に設けられた爪部と前記レバー固定台の一端部とを嵌合させることにより、前記レバー固定台を前記額縁の幅方向に沿って着脱自在に固定・保持できるようにしたことを特徴とする請求項１に記載の額縁にキャンバスを固定する方法。
【請求項３】
絵画用のキャンバスを額縁に固定する固定治具であって、前記額縁に固定する固定治具が、先端部に額縁からキャンバス側に突出する突出部を有する弾性体をその一端部に固定したレバーと、前記レバーを前記弾性体の周りに回動自在に枢支し、前記額縁に固定されるレバー固定台と、前記額縁から前記キャンバス側に突出した前記弾性体の先端部で前記キャンバスを押圧して固定するときに、回転させた前記レバーの他端部に設けられた突起部を係止するためのストッパとを具備したことを特徴とする額縁にキャンバスを固定する固定治具。
【請求項４】
前記レバー固定台の一端部を水平方向に回動自在に設けて、前記レバー固定台と額縁の間に、前記額縁の幅方向に前記レバー固定台を着脱自在に固定・保持するためのレバー固定台の止め金具を設けたことを特徴とする請求項３に記載の額縁にキャンバスを固定する固定治具。
【発明の詳細な説明】
【０００１】
【発明の属する技術分野】
本発明は、油絵、アクリル画、テンペラ画等といったタブロー作品を額縁に固定するときの固定方法及び固定治具に関する。
【０００２】
【従来の技術】
従来、絵画作品の基底材（支持体）の代表的なものとしては、紙、布、板、パネル、キャンバスがある。油絵、アクリル画、テンペラ画等といったタブロー作品は、脆弱な紙や布に直かに描くのは、耐久性の点で好ましい材料ではないためキャンバスやパネルが使用されている。
【０００３】
キャンバスは、杉材の木枠に、白色地塗りされた麻布を、タックスと呼ばれるビスで、釘打ちして張り込んだ基底材である。また、キャンバスの大きさとしては、小さいものは「０号」から大きいものは「５００号」までのものがある。
【０００４】
額縁にキャンバスを固定する従来の固定方法及び固定治具としては、図３（Ａ）及び図３（Ｂ）に示すように、額縁１０２にキャンバス１０３を嵌合させた後、額縁に設けられている複数の固定治具であるトンボ１０１という止め金具を回転させてキャンバス１０３を後ろから押圧して額縁１０２に固定・保持している。
【０００５】
この固定・保持方法しては、図４（Ａ）に示すように、キャンバス１０３の厚みｃＨが額縁の厚みＦＨより薄い場合には、詰め物、例えば板材をキャンバス１０３の後側に詰めて、キャンバス１０３の厚みに板材の厚みＰＨを加えてからトンボ１０１でキャンバス１０３を固定・保持することができる。
【０００６】
【発明が解決しようとする課題】
しかしながら、図４（Ｂ）に示すように、キャンバス１０３の厚みＣＨが額縁１０２の厚みＦＨよりも厚い場合には、従来のトンボ１０１では固定・保持できないという問題があった。
また、キャンバス１０３の大きさが大きくなると、重さも重くなり、重量物をトンボ１０１で保持・固定するのが難しかった。
尚、前述したようにキャンバス１０３には種々の大きさのものがあり、特に「１０号」以上のキャンバス１０３では、厚みが急速に厚くなるので、色、デザイン、装飾模様等で気に入った額縁１０２があっても額縁１０２の厚みがキャンバス１０３と不適なために使用を諦めなければならないという問題があった。
【０００７】
本発明は、前記課題を解決するためになされたものであって、キャンバスと額縁の厚みが異なっても好適にキャンバスを額縁に固定・保持することができる額縁にキャンバスを固定する固定方法および固定治具を提供することを目的とする。
【０００８】
【課題を解決するための手段】
前記課題を解決するためになされた請求項１に記載の額縁にキャンバスを固定する固定方法は、絵画用のキャンバスを額縁に固定する固定方法であって、先端部に前記額縁から前記キャンバス側に突出する突出部を有する弾性体をレバーの一端部に固定し、前記弾性体を設けた前記レバーの一端部を回動自在に枢支するレバー固定台に取り付け、このレバー固定台をさらに額縁に設けて、前記レバーの他端部を回転させることにより前記突出部で前記キャンバスを押圧し、記レバーの他端部の突起部を前記額縁に設けられたストッパに係止することにより前記額縁に前記キャンバスを固定することを特徴とする額縁にキャンバスを固定する方法である。
【０００９】
請求項１に記載された発明によると、以下の作用・効果が得られる。
（１）先端部に額縁からキャンバス側に突出する突出部を有する弾性体の前記突出部でキャンバスを押圧して固定するようにしたので、弾性体の強さ・先端部の長さを変えることによりキャンバスと額縁の厚みが異なっても（特に厚みの厚いキャンバスでも）好適に固定することができる。
（２）回転させた前記レバーの他端部に設けられた突起部を、前記額縁に設けられたストッパに係止するようにしたことにより、弾性体の付勢力を有効に利用できるので額縁にキャンバスを好適に固定することができる。
【００１０】
請求項２に記載の額縁にキャンバスを固定する固定方法は、前記レバー固定台と前記額縁の間に更にレバー固定台の止め金具を設けて、前記レバー固定台を前記額縁の水平方向に回動自在に設けた後、前記額縁に設けた前記レバー固定台の止め金具の一端部に設けられた爪部と前記レバー固定台の一端部とを嵌合させることにより、前記レバー固定台を前記額縁の幅方向に沿って着脱自在に固定・保持できるようにしたことを特徴とする請求項１に記載の額縁にキャンバスを固定する方法である。
【００１１】
請求項２に記載された発明によると、前記レバー固定台と前記額縁の間に更にレバー固定台の止め金具を設けて、前記レバー固定台を前記額縁の水平方向に回動自在に設けた後、前記額縁に設けた前記レバー固定台の止め金具の一端部に設けられた爪部と前記レバー固定台の一端部とを嵌合させるようにして、前記レバー固定台を前記額縁の幅方向に沿って着脱自在に固定・保持できるようにしたので、キャンバスの厚さが厚いもののときは、前記レバー固定台を額縁の外側に回転させて前記弾性体の先端部がキャンバスに当たるのを回避することができる。従って、キャンバスを額縁の溝に嵌着した後に、前記レバー固定台をレバー固定台の止め金具の爪部と嵌合させ、前記弾性体の先端部で押圧してキャンバスを額縁に固定するようにすれば、厚いキャンバスでも弾性体の先端部がキャンバスの嵌着を妨害しないので、好適にキャンバスを額縁に固定できる。
【００１２】
請求項３に記載の額縁にキャンバスを固定する固定治具は、絵画用のキャンバスを額縁に固定する固定治具であって、前記額縁に固定する固定治具が、先端部に額縁からキャンバス側に突出する突出部を有する弾性体をその一端部に固定したレバーと、前記レバーを前記弾性体の周りに回動自在に枢支し、前記額縁に固定されるレバー固定台と、前記額縁から前記キャンバス側に突出した前記弾性体の先端部で前記キャンバスを押圧して固定するときに、回転させた前記レバーの他端部に設けられた突起部を係止するためのストッパとを具備したことを特徴とするものである。
【００１３】
請求項３に記載された発明によると、絵画用のキャンバスを額縁に固定する固定治具であって、前記額縁に固定する固定治具が、先端部に額縁からキャンバス側に突出する突出部を有する弾性体をその一端部に固定したレバーと、前記レバーを前記弾性体の周りに回動自在に枢支し、前記額縁に固定されるレバー固定台と、前記額縁から前記キャンバス側に突出した前記弾性体の先端部で前記キャンバスを押圧して固定するときに、回転させた前記レバーの他端部に設けられた突起部を係止するためのストッパとを具備したことにより、
（１）額縁からキャンバス側に突出した弾性体の突出部でキャンバスを押圧して固定するようにしたので、弾性体の強さ・突出部の長さを変えることによりキャンバスと額縁の厚みが異なっても（特に厚みの厚いキャンバスでも）好適に固定することができる。
（２）回転させた前記レバーの他端部に設けられた突起部を、前記額縁に設けられたストッパに係止するようにしたことにより、弾性体の付勢力を有効に利用できるので額縁にキャンバスを好適に固定することができる。
【００１４】
請求項４に記載の額縁にキャンバスを固定する固定治具は、前記レバー固定台の一端部を水平方向に回動自在に設けて、前記レバー固定台と額縁の間に、前記額縁の幅方向に前記レバー固定台を着脱自在に固定・保持するためのレバー固定台の止め金具を設けたことを特徴とする請求項３に記載の額縁にキャンバスを固定する固定治具である。
【００１５】
請求項４に記載された発明によると、前記レバー固定台の一端部を水平方向に回動自在に設けて、前記レバー固定台と額縁の間に、前記額縁の幅方向に前記レバー固定台を着脱自在に固定・保持するためのレバー固定台の止め金具を設けたことにより、キャンバスの厚さが厚いもののときは、前記レバー固定台を額縁の外側に回転させて前記弾性体の先端部がキャンバスに当たらないようにすることができる。従って、キャンバスを額縁の溝に嵌着した後に、前記レバー固定台を止め金具の爪部と嵌合させ、キャンバスを固定すれば厚いものでも好適に額縁に固定できる。
【００１６】
【発明の実施の形態】
最初に、本発明に係る額縁にキャンバスを固定する固定治具の一実施形態について図１及び図２を参照して説明する。
尚、図１（Ａ）は、本発明に係る額縁にキャンバスを固定する固定治具のキャンバス固定前の状態を示す図である。また、図１（Ｂ）は、本発明に係る額縁にキャンバスを固定する固定治具でキャンバスを固定した状態を示す図である。
図２（Ａ）は本発明に係るレバー固定台、図２（Ｂ）は本発明に係るレバー、図２（Ｃ）は本発明に係るバネ、図２（Ｄ）は本発明に係るレバー固定台の止め金具、図２（Ｅ）は本発明に係るストッパである。
尚、この固定治具は本発明に係る額縁にキャンバスを固定する固定方法を具現化するための固定治具である。
【００１７】
一実施形態の額縁にキャンバスを固定する固定治具１は、図１に示すように、絵画用のキャンバス３を額縁２に固定する固定治具１であって、前記額縁２に固定する固定治具１が、先端部に額縁２からキャンバス側に突出する突出部１ｃ３を有する弾性体であるバネ１ｃをその一端部に固定したレバー１ｂと、前記レバー１ｂを、前記バネ１ｃを固定した一端部を支点として回動自在に枢支し、しかも前記額縁２に固定されるレバー固定台１ａと、前記レバー固定台１ａの一端部を水平方向に回動自在に設けて、前記レバー固定台１ａと額縁２の間に、前記額縁２の幅方向に前記レバー固定台１ａを着脱自在に固定・保持するためのレバー固定台の止め金具１ｄと、レバー１ｂの他端部を回転させて前記額縁２から前記キャンバス３側に突出した前記バネ１ｃの突出部１ｃ３で前記キャンバス３を押圧して固定するときに、回転させた前記レバー１ｂの他端部に設けられた突起部１ｂ３を係止するためのストッパ１ｅとから主要部が構成される。
【００１８】
レバー１ｂは、図２（Ｂ）に示すように、先端部に額縁２からキャンバス側に突出する突出部１ｃ３を有する弾性体であるバネ１ｃの直線部１ｃ１を、適宜間隔で離隔して設けられた爪状の２つのバネストッパ１ｂ１，１ｂ２を介してレバー１ｂに固定している。
前記バネ１ｃのコイル部１ｃ２の中心部には、ピン１ａ２が挿通され、レバー１ｂの一端部右方には前記ピン１ａ２を挿通するための孔１ｂ４が設けられている。
また、レバー１ｂは、他端部右方に外部へ突起する突起部１ｂ３を有している。
【００１９】
レバー固定台１ａは、図２（Ａ）に示すように、直角に曲げた矩形の板から形成されるアングル材であり、各板の中心部には、孔が開いた突起部であるピン支持部材１ａ１と、ピン１ａ２の一端部を挿通・支持するピン孔１ａ３が設けられており、２つの孔にピン１ａ２を挿通させることでバネ１ｃ２とレバー１ｂを枢支する。
また、レバー固定台１ａは、その下端部に孔１ａ４が設けられており、この孔１ａ４を中心にして額縁２に水平方向に回動自在に取り付けられる。
尚、レバー固定台１ａは、額縁２にキャンバス３を固定した時には、図１（Ｂ）に示すように、額縁２の幅に収まる大きさをしている。
【００２０】
レバー固定台の止め金具１ｄは、図２（Ｄ）に示すように、レバー固定台１ａと額縁２の間に設けられる矩形の板材である。左端部にレバー固定台１ａの左端部と嵌合させて額縁２にレバー固定台１ａを着脱自在に固定・保持するための２つの爪部１ｄ１，１ｄ２を有している。爪部を設ける個数は、複数であれば良い。
尚、レバー固定台の止め金具１ｄは、額縁２にキャンバス３を固定した時には、図１（Ｂ）に示すように、額縁２の幅に収まる大きさをしている。
【００２１】
ストッパ１ｅは、図２（Ｅ）に示すように、直角に曲げた矩形の板から形成されるアングル材であり、額縁２からキャンバス３側に突出したバネ１ｃの突出部１ｃ３で前記キャンバス３を押圧して固定するときに、回転させた前記レバー１ｂの他端部に設けられた突起部１ｂ３をその孔１ｅ１に係止してキャンバス３を額縁２に固定するための係止部材である。
尚、ストッパ１ｅは、額縁２にキャンバス３を固定した時には、図１（Ｂ）に示すように、額縁２の幅に収まる大きさをしている。
【００２２】
レバー固定台の止め金具１とストッパ１ｅは、一体化してもよい。
【００２３】
バネ１ｃは、図２（Ｃ）に示すように、コイルバネであり、直線部１ｃ１，コイル部１ｃ２，先端部の突出部１ｃ３から形成される。
直線部１ｃ１は、レバー１ｂの長手方向の溝にバネストッパ１ｂ１，１ｂ２により固定される。
コイル部１ｃ２は、レバー１ｂの一端部でレバー固定台１ａに回動自在に枢支される。このとき、ピン１ａ２はコイル部１ｃ２の中心部に挿通される。
突出部１ｃ３は、図２（Ｃ）に示すように、レバー１ｂが他端部側にあるときは、コイル部１ｃ２から手前側に一度立ち上がり、手前側から水平方向に屈曲した形状をしている。一方、レバー１ｂが一端部側にあるときは、コイル部１ｃ２から上方に一度立ち上がり、上方から水平方向に屈曲した形状をしている。
突出部１ｃ３の長さは、水平方向の長さがキャンバス３を押圧できるのに十分な長さであればよい。
【００２４】
このように構成されるキャンバスを固定する固定治具１の作用について図１を参照して説明する。
（１）額縁２の溝にキャンバス３を嵌着させる。このとき、レバー固定台１ａを、レバー固定台の止め金具１ｄの爪部１ｄ１，１ｄ２から脱着させて額縁２の外側水平方向に回転させる。
このように、レバー固定台１ａの一端部を水平方向に回動自在に設けて、前記レバー固定台１ａと額縁２の間に、前記額縁２の幅方向に前記レバー固定台１ａを着脱自在に固定・保持するためのレバー固定台の止め金具１ｄを設けたことにより、キャンバス３の厚さが厚いもののときは、前記レバー固定台１ａを額縁２の外側に回転させてバネ１ｃの先端部がキャンバス３に当たらないようにすることができる。
【００２５】
（２）キャンバス３を額縁２の溝に嵌着した後に、レバー固定台１ａをレバー固定台の止め金具１ｄの爪部１ｄ１，１ｄ２と嵌合させ、キャンバス３を固定する。
このようにすれば、キャンバス３の厚さが厚いものでも好適に嵌着することができる。
（３）レバー固定台１ａに枢支されたレバー１ｂの一端部側を支点にしてレバー１ｂ他端部側を回転させる。
（４）額縁２からキャンバス３側に突出したバネ１ｃの突出部１ｃ３でキャンバス３を押圧し、回転したレバー１ｂの突起部１ｂ３をストッパ１ｅの孔１ｅ１に係止してキャンバス３を固定する。
【００２６】
このように、
（１）額縁２からキャンバス側に突出したバネ１ｃの突出部１ｃ３でキャンバス３を押圧して固定するようにしたので、バネ１ｃの強さ・突出部１ｃ３の長さを変えることにより厚みの厚いキャンバス３でも固定することができる。
（２）また、回転させたレバー１ｂの他端部に設けられた突起部１ｂ３を、額縁２に設けられたストッパ１ｅの孔１ｅ１に係止するようにしたことにより、バネ１ｃの付勢力を有効に利用できるので額縁２にキャンバス３を好適に固定することができる。
【００２７】
尚、本発明の実施の形態を説明する図では額縁２にキャンバス３を固定する固定治具１として便宜上１個の固定治具１しか図示していないが、複数個設けることもできる。
前記固定治具１を額縁２の周りに複数個設けて額縁２にキャンバスを固定することにより、小さい号数のキャンバスから大きい号数のキャンバスまで、キャンバスの大きさ、重量、厚み等に応じて額縁にキャンバスを確実に固定することができる。
【００２８】
【発明の効果】
以上の構成と作用からなる本発明によれば、以下の効果を奏する。
１．請求項１に記載の発明によれば、以下の作用・効果が得られる。
（１）先端部に額縁からキャンバス側に突出する突出部を有する弾性体の前記突出部でキャンバスを押圧して固定するようにしたので、弾性体の強さ・先端部の長さを変えることによりキャンバスと額縁の厚みが異なっても（特に厚みの厚いキャンバスでも）好適に固定することができる。
（２）回転させた前記レバーの他端部に設けられた突起部を、前記額縁に設けられたストッパに係止するようにしたことにより、弾性体の付勢力を有効に利用できるので額縁にキャンバスを好適に固定することができる。
２．請求項２に記載の発明によれば、前記レバー固定台と前記額縁の間に更にレバー固定台の止め金具を設けて、前記レバー固定台を前記額縁の水平方向に回動自在に設けた後、前記額縁に設けた前記レバー固定台の止め金具の一端部に設けられた爪部と前記レバー固定台の一端部とを嵌合させるようにして、前記レバー固定台を前記額縁の幅方向に沿って着脱自在に固定・保持できるようにしたので、キャンバスの厚さが厚いもののときは、前記レバー固定台を額縁の外側に回転させて前記弾性体の先端部がキャンバスに当たるのを回避することができる。従って、キャンバスを額縁の溝に嵌着した後に、前記レバー固定台をレバー固定台の止め金具の爪部と嵌合させ、前記弾性体の先端部で押圧してキャンバスを額縁に固定するようにすれば、厚いキャンバスでも弾性体の先端部がキャンバスの嵌着を妨害しないので、好適にキャンバスを額縁に固定できる。
３．請求項３に記載の発明によれば、
（１）額縁からキャンバス側に突出した弾性体の突出部でキャンバスを押圧して固定するようにしたので、弾性体の強さ・突出部の長さを変えることによりキャンバスと額縁の厚みが異なっても（特に厚みの厚いキャンバスでも）好適に固定することができる。
（２）回転させた前記レバーの他端部に設けられた突起部を、前記額縁に設けられたストッパに係止するようにしたことにより、弾性体の付勢力を有効に利用できるので額縁にキャンバスを好適に固定することができる。
４．請求項４に記載の発明によれば、前記レバー固定台の一端部を水平方向に回動自在に設けて、前記レバー固定台と額縁の間に、前記額縁の幅方向に前記レバー固定台を着脱自在に固定・保持するためのレバー固定台の止め金具を設けたことにより、キャンバスの厚さが厚いもののときは、前記レバー固定台を額縁の外側に回転させて前記弾性体の先端部がキャンバスに当たらないようにすることができる。従って、キャンバスを額縁の溝に嵌着した後に、前記レバー固定台を止め金具の爪部と嵌合させ、キャンバスを固定すれば厚いものでも好適に額縁に固定できる。
【図面の簡単な説明】
【図１】（Ａ）本発明に係る額縁にキャンバスを固定する固定治具のキャンバス固定前の状態を示す図である。
（Ｂ）本発明に係る額縁にキャンバスを固定する固定治具でキャンバスを固定した状態を示す図である。
【図２】（Ａ）本発明に係るレバー固定台である。
（Ｂ）本発明に係るレバーである。
（Ｃ）本発明に係るバネである。
（Ｄ）本発明に係るレバー固定台の止め金具である。
（Ｅ）本発明に係るストッパである。
【図３】（Ａ）従来の額縁にキャンバスを固定する固定治具のキャンバス固定前の状態を示す図である。
（Ｂ）従来の額縁にキャンバスを固定する固定治具でキャンバスを固定した状態を示す図である。
【図４】（Ａ）従来のキャンバスの厚みが額縁の厚みよりも薄い場合におけるキャンバスの固定方法を説明するための図である。
（Ｂ）従来のキャンバスの厚みが額縁の厚みよりも厚い場合におけるキャンバスの固定方法を説明するための図である。
【符号の説明】
１　　　　　　　　固定治具
１ａ　　　　　　　レバー固定台
１ａ１　　　　　　ピン支持部材
１ａ２　　　　　　ピン
１ａ３　　　　　　ピン孔
１ｂ　　　　　　　レバー
１ｂ１，１ｂ２　　バネストッパ
１ｂ３　　　　　　突起部
１ｂ４　　　　　　孔
１ｃ　　　　　　　バネ（弾性体）
１ｃ１　　　　　　直線部
１ｃ２　　　　　　コイル部
１ｃ３　　　　　　突出部
１ｄ　　　　　　　レバー固定台の止め金具
１ｄ１，１ｄ２　　爪部
１ｅ　　　　　　　ストッパ
１ｅ１　　　　　　孔
２　　　　　　　　額縁
３　　　　　　　　キャンバス
【図１】
2004057689.tif 000003
【図２】
2004057689.tif 000004
【図３】
2004057689.tif 000005
【図４】
2004057689.tif 000006